(57)【要約】【課題】タンクの内側に障害物が存在しても継ぎ手アダプターのカシメ固定を行うことができると共に、作業工数を増大させることなく継ぎ手アダプターの位置決めを行うことができる継ぎ手アダプター付きタンクとその製造方法を提供すること。【解決手段】ヘッダータンク１に開口されたアダプター装着穴１ｄにパイプ継ぎ手アダプター２がカシメ固定されたパイプ継ぎ手アダプター付きヘッダータンクにおいて、ヘッダータンク１には、アダプター装着穴１ｄの位置にカシメ固定片１ｅを設け、パイプ継ぎ手アダプター２には、カシメ固定片１ｅの設定位置と符合する位置に、アダプター差し込み溝部２ｄ’とアダプター回転溝部２ｄ”を有するカシメ切り欠き溝２ｄを設け、カシメ切り欠き溝２ｄへの回転端部位置にてカシメ固定片１ｅをアダプター装着方向から屈曲し、ヘッダータンク１に対してパイプ継ぎ手アダプター２をカシメ固定した。【選択図】図２
2008261551.tif 000002
【特許請求の範囲】
【請求項１】
タンクに開口されたアダプター装着穴に継ぎ手アダプターがカシメ固定された継ぎ手アダプター付きタンクにおいて、
前記タンクには、アダプター装着穴の位置にカシメ固定片を設け、
前記継ぎ手アダプターには、前記カシメ固定片の設定位置と符合する位置に、アダプター差し込み溝部とアダプター回転溝部を有するカシメ切り欠き溝を設け、
前記カシメ切り欠き溝への回転端部位置にて前記カシメ固定片をアダプター装着方向から屈曲し、前記タンクに対して前記継ぎ手アダプターをカシメ固定したことを特徴とする継ぎ手アダプター付きタンク。
【請求項２】
請求項１に記載された継ぎ手アダプター付きタンクにおいて、
前記カシメ固定片は、前記タンクと一体に形成され、円形によるアダプター装着穴の内側から所定の間隔にて径方向に延びる複数の片とし、
前記カシメ切り欠き溝は、前記継ぎ手アダプターのタンク装着部に形成され、差し込み軸方向に形成したアダプター差し込み溝部と、該アダプター差し込み溝部の端部から周方向に形成したアダプター回転溝部と、を有する複数のＬ字状切り欠き溝としたことを特徴とする継ぎ手アダプター付きタンク。
【請求項３】
請求項１または請求項２に記載された継ぎ手アダプター付きタンクにおいて、
前記タンクは、空調ユニットに内蔵されるヒータコアのヘッダータンクであり、
前記継ぎ手アダプターは、ヒータコアに接続される温水入口パイプと温水出口パイプを連結するためのパイプ継ぎ手アダプターであることを特徴とする継ぎ手アダプター付きタンク。
【請求項４】
タンクに開口されたアダプター装着穴に継ぎ手アダプターをカシメ固定する継ぎ手アダプター付きタンクの製造方法において、
前記タンクのカシメ固定片の設定位置にアダプター差し込み溝部の位置を符合させ、アダプター差し込み溝部とカシメ固定片の差し込み嵌合量を増しながら前記継ぎ手アダプターを差し込むアダプター差し込み手順と、
アダプター差し込み後、アダプター回転溝部とカシメ固定片の回転嵌合量を増しながら前記継ぎ手アダプターを回転させるアダプター回転手順と、
アダプター回転後、前記継ぎ手アダプターのアダプター穴に向かってカシメ機をアダプター装着方向から挿入し、カシメ固定片をアダプター回転溝部への回転端部位置にて屈曲させるアダプターカシメ手順と、
を備えていることを特徴とする継ぎ手アダプター付きタンクの製造方法。
【請求項５】
請求項４に記載された継ぎ手アダプター付きタンクの製造方法において、
前記アダプター差し込み手順は、タンクの複数のカシメ固定片の設定位置に複数のアダプター差し込み溝部の位置を符合させ、複数のアダプター差し込み溝部と複数のカシメ固定片の差し込み嵌合量を同時に増しながら継ぎ手アダプターを差し込み、
前記アダプター回転手順は、アダプター差し込み後、複数のアダプター回転溝部と複数のカシメ固定片の回転嵌合量を同時に増しながら継ぎ手アダプターを回転させ、
前記アダプターカシメ手順は、アダプター回転後、継ぎ手アダプターのアダプター穴に向かってカシメ機をアダプター装着方向から挿入し、複数のカシメ固定片を複数のアダプター回転溝部への回転端部位置にて同時に屈曲させることを特徴とする継ぎ手アダプター付きタンクの製造方法。
【発明の詳細な説明】
【技術分野】
【０００１】
本発明は、車両用空調装置のヒータコア等に適用され、タンクに開口されたアダプター装着穴に継ぎ手アダプターがカシメ固定された継ぎ手アダプター付きタンクとその製造方法に関する。
【背景技術】
【０００２】
従来、車両用空調装置のヒータコアとして、ヘッダータンクにアダプター装着穴を開口し、パイプ継ぎ手アダプターのヘッダータンク側にカシメ拡開部を設け、パイプ継ぎ手アダプターをヘッダータンクのアダプター装着穴に装着し、ヘッダータンクの内側からカシメ機を押し込み、カシメ拡開部を変形させてヘッダータンクに対してパイプ継ぎ手アダプターをカシメ固定したものが知られている（例えば、特許文献１参照）。
【特許文献１】特開平９−２０４５号公報
【発明の開示】
【発明が解決しようとする課題】
【０００３】
しかしながら、従来の継ぎ手アダプター付きヘッダータンクにあっては、ヘッダータンクの内側からカシメ機を押し込むことでカシメ固定するものであるため、カシメ機を押し込むヘッダータンクの内側に障害物が無く開いていないことには、カシメ固定を行うことができない。また、パイプ継ぎ手アダプターの回転方向を規制する構造がないため、位置決めが必要なパイプ継ぎ手アダプターの場合は、治具などを用いたカシメ作業となり、作業工数が増大してしまう、という問題があった。
【０００４】
本発明は、上記問題に着目してなされたもので、タンクの内側に障害物が存在しても継ぎ手アダプターのカシメ固定を行うことができると共に、作業工数を増大させることなく継ぎ手アダプターの位置決めを行うことができる継ぎ手アダプター付きタンクとその製造方法を提供することを目的とする。
【課題を解決するための手段】
【０００５】
上記目的を達成するため、本発明では、タンクに開口されたアダプター装着穴に継ぎ手アダプターがカシメ固定された継ぎ手アダプター付きタンクにおいて、
前記タンクには、アダプター装着穴の位置にカシメ固定片を設け、
前記継ぎ手アダプターには、前記カシメ固定片の設定位置と符合する位置に、アダプター差し込み溝部とアダプター回転溝部を有するカシメ切り欠き溝を設け、
前記カシメ切り欠き溝への回転端部位置にて前記カシメ固定片をアダプター装着方向から屈曲し、前記タンクに対して前記継ぎ手アダプターをカシメ固定したことを特徴とする。
【０００６】
上記目的を達成するため、本発明では、タンクに開口されたアダプター装着穴に継ぎ手アダプターをカシメ固定する継ぎ手アダプター付きタンクの製造方法において、
前記タンクのカシメ固定片の設定位置にアダプター差し込み溝部の位置を符合させ、アダプター差し込み溝部とカシメ固定片の差し込み嵌合量を増しながら前記継ぎ手アダプターを差し込むアダプター差し込み手順と、
アダプター差し込み後、アダプター回転溝部とカシメ固定片の回転嵌合量を増しながら前記継ぎ手アダプターを回転させるアダプター回転手順と、
アダプター回転後、前記継ぎ手アダプターのアダプター穴に向かってカシメ機をアダプター装着方向から挿入し、カシメ固定片をアダプター回転溝部への回転端部位置にて屈曲させるアダプターカシメ手順と、
を備えていることを特徴とする。
【発明の効果】
【０００７】
よって、本発明の継ぎ手アダプター付きタンクとその製造方法にあっては、継ぎ手アダプターのカシメ固定が、カシメ機をアダプター装着方向から挿入することで行われる。
したがって、タンクの内側に障害物が存在しないときは勿論のこと、タンクの内側に障害物が存在しても継ぎ手アダプターのカシメ固定を行うことができる。
また、継ぎ手アダプターのカシメ固定は、アダプター回転溝部とカシメ固定片が回転嵌合した状態で行われるため、カシメ固定片とカシメ切り欠き溝の位置や寸法を予め設定することにより、アダプター回転溝部の溝端面とカシメ固定片とが接触する回転嵌合位置が所定の位置に規定される。
したがって、アダプター回転溝部とカシメ固定片を回転嵌合させるだけで、作業工数を増大させることなく、継ぎ手アダプターの位置決めを行うことができる。
この結果、タンクの内側に障害物が存在しても継ぎ手アダプターのカシメ固定を行うことができると共に、作業工数を増大させることなく継ぎ手アダプターの位置決めを行うことができる。
【発明を実施するための最良の形態】
【０００８】
以下、本発明の継ぎ手アダプター付きタンクとその製造方法を実現する最良の形態を、図面に示す実施例１に基づいて説明する。
【実施例１】
【０００９】
まず、構成を説明する。
図１は実施例１のパイプ継ぎ手アダプター付きヘッダータンク（継ぎ手アダプター付きタンクの一例）が適用されたヒータコアを示す斜視図である。
【００１０】
実施例１のパイプ継ぎ手アダプター付きヘッダータンクが適用されたヒータコアH/Cは、図１に示すように、ヘッダータンク１と、パイプ継ぎ手アダプター２と、熱交換部３と、を備えている。
【００１１】
前記ヒータコアH/Cは、図外の車両用空調ユニットの空調ケースに内蔵されていて、両側に一対配置されたヘッダータンク１，１と、一対のヘッダータンク１，１の間に配置された熱交換部３と、を有する。前記ヘッダータンク１は、断面コ字状の２種類のタンクフレームを組み合わせ接合することにより構成されている。前記熱交換部３は、一対のヘッダータンク１，１を連通して横方向に延びる複数の温水通路と、熱交換を促進するフィンと、を有する。
【００１２】
前記パイプ継ぎ手アダプター２，２は、図１に示すように、ヒータコアH/Cに接続される温水入口パイプと温水出口パイプを連結するため２箇所設けられる。温水入口パイプには、エンジンからのエンジン冷却水が供給される。温水出口パイプからは、熱交換後のエンジン冷却水がエンジンに返送される。パイプ継ぎ手アダプター２，２のうち、図１の上部に示すパイプ継ぎ手アダプター２には、温水出口パイプが連結され、図１の下部に示すパイプ継ぎ手アダプター２には、温水入口パイプが連結される。
【００１３】
図２は実施例１のパイプ継ぎ手アダプター付きヘッダータンクの要部を示す断面図である。図３は実施例１のパイプ継ぎ手アダプター付きヘッダータンクのカシメ固定前のパイプ継ぎ手アダプターを示す側面図である。図４は実施例１のパイプ継ぎ手アダプター付きヘッダータンクのカシメ固定前のヘッダータンクを示す断面図である。
【００１４】
前記パイプ継ぎ手アダプター２がカシメ固定されるヘッダータンク１は、図２に示すように、３つの折り曲げプレート部１ａ，１ｂ，１ｃによる断面コ字状に形成されている。このヘッダータンク１には、図４に示すように、アダプター装着穴１ｄの位置にカシメ固定片１ｅを設けている。カシメ固定片１ｅは、ヘッダータンク１と一体に形成され、円形によるアダプター装着穴１ｄの内側から120°の等角度間隔にて径方向に延びる３つの片としている。
【００１５】
前記ヘッダータンク１にカシメ固定するパイプ継ぎ手アダプター２は、図２に示すように、タンク装着部２ａと、パイプシール部２ｂと、パイプカシメ部２ｃと、を有して形成されている。このパイプ継ぎ手アダプター２には、図３に示すように、カシメ固定片１ｅの設定位置と符合する位置に、アダプター差し込み溝部２ｄ’とアダプター回転溝部２ｄ”を有するカシメ切り欠き溝２ｄを設けている。このカシメ切り欠き溝２ｄは、パイプ継ぎ手アダプター２のタンク装着部２ａに形成され、差し込み軸方向に形成したアダプター差し込み溝部２ｄ’と、該アダプター差し込み溝部２ｄ’の端部から周方向に形成したアダプター回転溝部２ｄ”と、を有する３つのＬ字状切り欠き溝としている。
【００１６】
前記ヘッダータンク１と前記パイプ継ぎ手アダプター２とは、図２に示すように、カシメ切り欠き溝２ｄへの回転端部位置にてカシメ固定片１ｅをアダプター装着方向（図２の上から下への方向）から屈曲し、ヘッダータンク１に対してパイプ継ぎ手アダプター２をカシメ固定している。
【００１７】
次に、作用を説明する。
図５は従来のパイプ継ぎ手アダプター付きヘッダータンクのカシメ固定状態を示す説明図である。
【００１８】
例えば、特開平９−２０４５号公報に記載されるようなヒータコアは、図５に示すように、ヘッダータンクにアダプター装着穴を開口し、パイプ継ぎ手アダプターのヘッダータンク側にカシメ拡開部を設け、パイプ継ぎ手アダプターをヘッダータンクのアダプター装着穴に装着し、ヘッダータンクの内側からカシメ機を押し込み、カシメ拡開部を変形させてヘッダータンクに対してパイプ継ぎ手アダプターをカシメ固定している。
【００１９】
しかし、この場合、ヘッダータンクの内側からカシメ機を押し込むことでカシメ固定するものであるため、例えば、図５に示すように、カシメ機を押し込むヘッダータンクの内側に障害物が無く開いていないことには、カシメ固定を行うことができない。
また、パイプ継ぎ手アダプターの回転方向を規制する構造がないため、位置決めが必要なパイプ継ぎ手アダプターの場合は、治具などを用いたカシメ作業となり、作業工数が増大してしまう。
【００２０】
本発明者は、上記のような課題に着目し、ヘッダータンク１側にカシメ固定片１ｅを設け、パイプ継ぎ手アダプター２側にカシメ切り欠き溝２ｄを設け、両者１，２を回転嵌合させた状態でアダプター装着方向からカシメ固定する手法を採用した。
これによって、ヘッダータンク１の内側に障害物が存在してもパイプ継ぎ手アダプター２のカシメ固定を行うことができると共に、作業工数を増大させることなくパイプ継ぎ手アダプター２の位置決めを行うことができるようにした。
【００２１】
図６は実施例１のパイプ継ぎ手アダプター付きヘッダータンクのアダプター差し込み手順を示す斜視図である。図７は実施例１のパイプ継ぎ手アダプター付きヘッダータンクのアダプター回転手順を示す斜視図である。図８は実施例１のパイプ継ぎ手アダプター付きヘッダータンクのアダプターカシメ手順のカシメ固定前の状態を示す斜視図である。図９は実施例１のパイプ継ぎ手アダプター付きヘッダータンクのアダプターカシメ手順のカシメ固定状態を示す斜視図である。
以下、パイプ継ぎ手アダプター付きヘッダータンクの製造方法を、「アダプター差し込み手順」、「アダプター回転手順」、「アダプターカシメ手順」に分けて説明する。
【００２２】
［アダプター差し込み手順］
ヘッダータンク１に開口されたアダプター装着穴１ｄにパイプ継ぎ手アダプター２をカシメ固定するパイプ継ぎ手アダプター付きヘッダータンクの製造方法において、アダプター差し込み手順は、図６に示すように、ヘッダータンク１のカシメ固定片１ｅの設定位置にアダプター差し込み溝部２ｄ’の位置を符合させ、アダプター差し込み溝部２ｄ’とカシメ固定片１ｅの差し込み嵌合量を増しながらパイプ継ぎ手アダプター２を、図６の矢印方向に差し込むことで行われる。
このアダプター差し込み手順では、ヘッダータンク１に一体形成された３つのカシメ固定片１ｅ，１ｅ，１ｅの設定位置に３つのアダプター差し込み溝部２ｄ’，２ｄ’，２ｄ’の位置を符合させ、３つのアダプター差し込み溝部２ｄ’，２ｄ’，２ｄ’と３つのカシメ固定片１ｅ，１ｅ，１ｅの差し込み嵌合量を同時に増しながらパイプ継ぎ手アダプター２を差し込む。
【００２３】
［アダプター回転手順］
アダプター回転手順は、アダプター差し込み後、図７に示すように、アダプター回転溝部２ｄ”とカシメ固定片１ｅの回転嵌合量を増しながらパイプ継ぎ手アダプター２を回転させることで行われる。
このアダプター回転手順では、アダプター差し込み後、３つのアダプター回転溝部２ｄ”，２ｄ”，２ｄ”と３つのカシメ固定片１ｅ，１ｅ，１ｅの回転嵌合量を同時に増しながらパイプ継ぎ手アダプター２を止まる位置まで回転させる。
【００２４】
［アダプターカシメ手順］
アダプターカシメ手順は、アダプター回転後、図８及び図９に示すように、パイプ継ぎ手アダプター２のアダプター穴に向かってカシメ機４をアダプター装着方向から挿入し、カシメ固定片１ｅをアダプター回転溝部２ｄ”への回転端部位置にて屈曲させることで行われる。
このアダプターカシメ手順では、アダプター回転後、パイプ継ぎ手アダプター２のアダプター穴に向かってカシメ機４をアダプター装着方向から挿入し、３つのカシメ固定片１ｅ，１ｅ，１ｅを３つのアダプター回転溝部２ｄ”，２ｄ”，２ｄ”への回転端部位置にて同時に屈曲させる。
なお、アダプターカシメ手順の後、カシメ固定部分の水密性を確保するために、ヘッダータンク１とパイプ継ぎ手アダプター２のカシメ固定部分をロウ付けする。
【００２５】
図１０は実施例１のパイプ継ぎ手アダプター付きヘッダータンクのうちカシメ固定時に位置決めが必要なパイプ継ぎ手アダプターの一例を示す図である。図１１は実施例１のパイプ継ぎ手アダプターをヘッダータンクの端面にカシメ固定した例を示す斜視図である。
【００２６】
実施例１のパイプ継ぎ手アダプター付きヘッダータンクとその製造方法にあっては、上記のように、パイプ継ぎ手アダプター２のカシメ固定が、カシメ機４をアダプター装着方向から挿入することで行われる。
【００２７】
したがって、ヘッダータンク１の内側に障害物が存在しないときは勿論のこと、図２に示すように、ヘッダータンク１の内側に障害物となる折り曲げプレート部１ｃが存在してもパイプ継ぎ手アダプター２のカシメ固定を行うことができる。
例えば、図１１に示すように、実施例１のパイプ継ぎ手アダプターをヘッダータンクの端面にカシメ固定することも可能である。言い換えると、ヘッダータンクを設計する際、パイプ継ぎ手アダプターのカシメ固定を考慮する必要が無く、設計自由度が高まる。
【００２８】
また、実施例１のパイプ継ぎ手アダプター２のカシメ固定は、アダプター回転溝部２ｄ”とカシメ固定片１ｅが回転嵌合した状態で行われるため、カシメ固定片１ｅとカシメ切り欠き溝２ｄの位置や寸法を予め設定することにより、アダプター回転溝部２ｄ”の溝端面とカシメ固定片１ｅとが接触する回転嵌合位置が所定の位置に規定される。
【００２９】
したがって、アダプター回転溝部２ｄ”とカシメ固定片１ｅを回転嵌合させるだけで、作業工数を増大させることなく、パイプ継ぎ手アダプター２の位置決めを行うことができる。
例えば、図１０に示すように、位置決めが必要なパイプ継ぎ手アダプター２’を、ヘッダータンク１にカシメ固定する場合に有用である。
なお、実施例１では、３つのカシメ固定片を等角度間隔にて設ける例を示したが、３つのカシメ固定片を不等角度間隔にて設けるようにした場合、パイプ継ぎ手アダプターが回転嵌合できる位置に組み付けるだけで、自動的にパイプ継ぎ手アダプターの位置決めを行うことができる。
【００３０】
次に、効果を説明する。
実施例１のパイプ継ぎ手アダプター付きヘッダータンクとその製造方法にあっては、下記に列挙する効果を得ることができる。
【００３１】
(1) ヘッダータンク１に開口されたアダプター装着穴１ｄにパイプ継ぎ手アダプター２がカシメ固定されたパイプ継ぎ手アダプター付きヘッダータンクにおいて、前記ヘッダータンク１には、アダプター装着穴１ｄの位置にカシメ固定片１ｅを設け、前記パイプ継ぎ手アダプター２には、前記カシメ固定片１ｅの設定位置と符合する位置に、アダプター差し込み溝部２ｄ’とアダプター回転溝部２ｄ”を有するカシメ切り欠き溝２ｄを設け、前記カシメ切り欠き溝２ｄへの回転端部位置にて前記カシメ固定片１ｅをアダプター装着方向から屈曲し、前記ヘッダータンク１に対して前記パイプ継ぎ手アダプター２をカシメ固定したため、ヘッダータンク１の内側に障害物が存在してもパイプ継ぎ手アダプター２のカシメ固定を行うことができると共に、作業工数を増大させることなくパイプ継ぎ手アダプター２の位置決めを行うことができるパイプ継ぎ手アダプター付きヘッダータンクを提供できる。
【００３２】
(2) 前記カシメ固定片１ｅは、前記ヘッダータンク１と一体に形成され、円形によるアダプター装着穴１ｄの内側から所定の角度間隔にて径方向に延びる複数のカシメ固定片１ｅ，１ｅ，１ｅとし、前記カシメ切り欠き溝２ｄは、前記パイプ継ぎ手アダプター２のタンク装着部２ａに形成され、差し込み軸方向に形成したアダプター差し込み溝部２ｄ’と、該アダプター差し込み溝部２ｄ’の端部から周方向に形成したアダプター回転溝部２ｄ”と、を有する複数のＬ字状切り欠き溝としたため、パイプ継ぎ手アダプター２を、ヘッダータンク１に対して高い安定性と固定性によりカシメ固定することができる。
【００３３】
(3) 前記タンクは、空調ユニットに内蔵されるヒータコアH/Cのヘッダータンク１であり、前記継ぎ手アダプターは、ヒータコアH/Cに接続される温水入口パイプと温水出口パイプを連結するためのパイプ継ぎ手アダプター２であるため、ヒータコアH/Cのヘッダータンク１に対し、温水入口パイプと温水出口パイプを連結するためのパイプ継ぎ手アダプター２，２を、高い自由度で、容易にカシメ固定することができる。
【００３４】
(4) ヘッダータンク１に開口されたアダプター装着穴１ｄにパイプ継ぎ手アダプター２をカシメ固定するパイプ継ぎ手アダプター付きヘッダータンクの製造方法において、前記ヘッダータンク１のカシメ固定片１ｅの設定位置にアダプター差し込み溝部２ｄ’の位置を符合させ、アダプター差し込み溝部２ｄ’とカシメ固定片１ｅの差し込み嵌合量を増しながら前記パイプ継ぎ手アダプター２を差し込むアダプター差し込み手順と、アダプター差し込み後、アダプター回転溝部２ｄ”とカシメ固定片１ｅの回転嵌合量を増しながら前記パイプ継ぎ手アダプター２を回転させるアダプター回転手順と、アダプター回転後、前記パイプ継ぎ手アダプター２のアダプター穴に向かってカシメ機４をアダプター装着方向から挿入し、カシメ固定片１ｅをアダプター回転溝部２ｄ”への回転端部位置にて屈曲させるアダプターカシメ手順と、を備えているため、ヘッダータンク１の内側に障害物が存在してもパイプ継ぎ手アダプター２のカシメ固定を行うことができると共に、作業工数を増大させることなくパイプ継ぎ手アダプター２の位置決めを行うことができるパイプ継ぎ手アダプター付きヘッダータンクの製造方法を提供できる。
【００３５】
(5) 前記アダプター差し込み手順は、ヘッダータンク１の複数のカシメ固定片１ｅの設定位置に複数のアダプター差し込み溝部２ｄ’の位置を符合させ、複数のアダプター差し込み溝部２ｄ’と複数のカシメ固定片１ｅの差し込み嵌合量を同時に増しながらパイプ継ぎ手アダプター２を差し込み、前記アダプター回転手順は、アダプター差し込み後、複数のアダプター回転溝部２ｄ”と複数のカシメ固定片１ｅの回転嵌合量を同時に増しながらパイプ継ぎ手アダプター２を回転させ、前記アダプターカシメ手順は、アダプター回転後、パイプ継ぎ手アダプター２のアダプター穴に向かってカシメ機４をアダプター装着方向から挿入し、複数のカシメ固定片１ｅを複数のアダプター回転溝部２ｄ”への回転端部位置にて同時に屈曲させるため、パイプ継ぎ手アダプター２を、ヘッダータンク１に対して高い安定性と固定性によりカシメ固定することができる。
【００３６】
以上、本発明の継ぎ手アダプター付きタンクとその製造方法を実施例１に基づき説明してきたが、具体的な構成については、この実施例１に限られるものではなく、特許請求の範囲の各請求項に係る発明の要旨を逸脱しない限り、設計の変更や追加等は許容される。
【００３７】
実施例１では、断面コ字状のヘッダータンクの側面位置に、段階的に径が拡がった断面状を持つパイプ継ぎ手アダプターをカシメ固定する例を示したが、具体的なタンク形状や継ぎ手アダプターの形状は実施例１に示す形状に限定されない。また、実施例１では、カシメ固定片とカシメ切り欠き溝を３箇所で回転嵌合する例を示したが、１箇所や２箇所や４箇所以上で回転嵌合するものであっても良い。要するに、タンクには、アダプター装着穴の位置にカシメ固定片を設け、継ぎ手アダプターには、カシメ固定片の設定位置と符合する位置に、アダプター差し込み溝部とアダプター回転溝部を有するカシメ切り欠き溝を設け、カシメ切り欠き溝への回転端部位置にてカシメ固定片をアダプター装着方向から屈曲し、タンクに対して継ぎ手アダプターをカシメ固定したものであれば、実施例１には限られることはない。
【産業上の利用可能性】
【００３８】
実施例１では、空調ユニットに内蔵されるヒータコアのヘッダータンクにカシメ固定されるパイプ継ぎ手アダプターへの適用例を示したが、他の熱交換器や車両用排気系等にカシメ固定される継ぎ手アダプターへも適用できる。要するに、タンクに開口されたアダプター装着穴に継ぎ手アダプターがカシメ固定された継ぎ手アダプター付きタンクであれば適用できる。
【図面の簡単な説明】
【００３９】
【図１】実施例１のパイプ継ぎ手アダプター付きヘッダータンク（継ぎ手アダプター付きタンクの一例）が適用されたヒータコアを示す斜視図である。
【図２】実施例１のパイプ継ぎ手アダプター付きヘッダータンクの要部を示す断面図である。
【図３】実施例１のパイプ継ぎ手アダプター付きヘッダータンクのカシメ固定前のパイプ継ぎ手アダプターを示す側面図である。
【図４】実施例１のパイプ継ぎ手アダプター付きヘッダータンクのカシメ固定前のヘッダータンクを示す断面図である。
【図５】従来のパイプ継ぎ手アダプター付きヘッダータンクのカシメ固定状態を示す説明図である。
【図６】実施例１のパイプ継ぎ手アダプター付きヘッダータンクのアダプター差し込み手順を示す斜視図である。
【図７】実施例１のパイプ継ぎ手アダプター付きヘッダータンクのアダプター回転手順を示す斜視図である。
【図８】実施例１のパイプ継ぎ手アダプター付きヘッダータンクのアダプターカシメ手順のカシメ固定前の状態を示す斜視図である。
【図９】実施例１のパイプ継ぎ手アダプター付きヘッダータンクのアダプターカシメ手順のカシメ固定状態を示す斜視図である。
【図１０】実施例１のパイプ継ぎ手アダプター付きヘッダータンクのうちカシメ固定時に位置決めが必要なパイプ継ぎ手アダプターの一例を示す図である。
【図１１】実施例１のパイプ継ぎ手アダプターをヘッダータンクの端面にカシメ固定した例を示す斜視図である。
【符号の説明】
【００４０】
H/C  ヒータコア
１  ヘッダータンク（タンク）
１ａ，１ｂ，１ｃ  折り曲げプレート部
１ｄ  アダプター装着穴
１ｅ  カシメ固定片
２  パイプ継ぎ手アダプター（継ぎ手アダプター）
２ａ  タンク装着部
２ｂ  パイプシール部
２ｃ  パイプカシメ部
２ｄ  カシメ切り欠き溝
２ｄ’  アダプター差し込み溝部
２ｄ”  アダプター回転溝部
３  熱交換部
４  カシメ機
【図１】
2008261551.tif 000003
【図２】
2008261551.tif 000004
【図３】
2008261551.tif 000005
【図４】
2008261551.tif 000006
【図５】
2008261551.tif 000007
【図６】
2008261551.tif 000008
【図７】
2008261551.tif 000009
【図８】
2008261551.tif 000010
【図９】
2008261551.tif 000011
【図１０】
2008261551.tif 000012
【図１１】
2008261551.tif 000013